(57)【要約】      （修正有）【課題】モータの軸方向の長さの増大を抑制でき、且つ、熱伝導によるモータの部品温度の変動を抑制できる技術を提供する。【解決手段】モータ１は、上下に延びる中心軸Ｃに沿って配置されるシャフト１１を有するロータ１２と、ロータ１２と径方向に対向するステータ１３と、ステータ１３より軸方向下方に配置されシャフト１１を回転可能に支持する軸受１４と、軸受１４より軸方向下方においてシャフト１１に固定され、シャフト１１との間で熱の授受を行う熱伝導体１５と、を有する。熱伝導体１５の一部は、軸受１４の下端より軸方向上方に配置されている。【選択図】図５
2020031520.tif 000002
【特許請求の範囲】
【請求項１】
上下に延びる中心軸に沿って配置されるシャフトを有するロータと、
前記ロータと径方向に対向するステータと、
前記ステータより軸方向下方に配置され前記シャフトを回転可能に支持する軸受と、
前記軸受より軸方向下方において前記シャフトに固定され、前記シャフトとの間で熱の授受を行う熱伝導体と、
を有し、
前記熱伝導体の一部は、前記軸受の下端より軸方向上方に配置されている、モータ。
【請求項２】
前記熱伝導体は、軸方向に延びる羽根を有し、
前記羽根の少なくとも一部は、前記軸受の下端より軸方向上方に配置されている、請求項１に記載のモータ。
【請求項３】
前記羽根の径方向内端は、径方向外方に向かうにつれて軸方向の高さが高くなる傾斜面部を有する、請求項２に記載のモータ。
【請求項４】
前記熱伝導体は、径方向外端の少なくとも一部に軸方向に延びる突出部を有する、請求項１から３のいずれか１項に記載のモータ。
【請求項５】
前記ロータおよび前記ステータを囲むモータハウジングを更に有し、
前記モータハウジングは、下端に軸方向下方に突出し前記軸受を収容する軸受収容部を有し、
前記モータハウジングの下端は、前記軸受収容部より径方向外方において、前記熱伝導体の上端より軸方向上方に配置されている、請求項１から４のいずれか１項に記載のモータ。
【請求項６】
前記熱伝導体は、前記シャフトに直接固定されている、請求項１から５のいずれか１項に記載のモータ。
【請求項７】
請求項１から６のいずれか１項に記載のモータと、
前記シャフトに取り付けられ前記中心軸周りに回転可能なインペラと、
前記インペラを囲むインペラハウジングと、
を有する、送風装置。
【請求項８】
前記インペラハウジングに設けられ、前記インペラハウジングの外部に通じる排気部を更に有する、請求項７に記載の送風装置。
【請求項９】
燃焼ガスを生成する燃焼部と、
前記燃焼ガスと熱媒体との熱交換を行う熱交換部と、
請求項７又は８に記載の送風装置と、
を有する、給湯装置。
【発明の詳細な説明】
【技術分野】
【０００１】
本発明は、モータ、送風装置、および、給湯装置に関する。
【背景技術】
【０００２】
特開平３−２０３５５４号公報に開示されているモータは、固定子の内側に回転子を配し、この回転子を支承する軸受より外方に突出する回転子軸上に自冷ファンを設けた構成になっている。これにより、回転子軸の作動に伴ってファンが回転し、冷却作用を示す。
【先行技術文献】
【特許文献】
【０００３】
【特許文献１】特開平３−２０３５５４号公報
【発明の概要】
【発明が解決しようとする課題】
【０００４】
例えばモータの回転子軸が外部からの高温に晒された場合に、回転子軸を介してモータの内部に熱が伝わり、モータの部品が高温による影響を受ける可能性がある。また、例えばモータの回転子軸が低温に晒された場合に、モータ内部の熱が奪われ、モータの部品温度が許容される温度以下になる可能性がある。例えばモータの軸受は、温度の影響を受け易く、適正な温度範囲で使用されることが望まれる。
【０００５】
例えば、特開平３−２０３５５４号公報に開示されているモータでは、自冷ファンによってモータの温度の上昇を抑制することができる。しかしながら、自冷ファンを有するモータにおいては、自冷ファンを配置するスペースを確保する必要があるために、回転子軸の延びる方向の長さが大きくなりやすい。
【０００６】
本発明は、モータの軸方向の長さの増大を抑制でき、且つ、熱伝導によるモータの部品温度の変動を抑制できる技術を提供することを目的とする。
【課題を解決するための手段】
【０００７】
本発明の例示的なモータは、上下に延びる中心軸に沿って配置されるシャフトを有するロータと、前記ロータと径方向に対向するステータと、前記ステータより軸方向下方に配置され前記シャフトを回転可能に支持する軸受と、前記軸受より軸方向下方において前記シャフトに固定され、前記シャフトとの間で熱の授受を行う熱伝導体と、を有する。前記熱伝導体の一部は、前記軸受の下端より軸方向上方に配置されている。
【０００８】
本発明の例示的な送風装置は、前記モータと、前記シャフトに取り付けられ前記中心軸周りに回転可能なインペラと、前記インペラを囲むインペラハウジングと、を有する。
【０００９】
本発明の例示的な給湯装置は、燃焼ガスを生成する燃焼部と、前記燃焼ガスと熱媒体との熱交換を行う熱交換部と、前記送風装置と、を有する。
【発明の効果】
【００１０】
例示的な本発明によれば、モータの軸方向の長さの増大を抑制でき、且つ、熱伝導によるモータの部品温度の変動を抑制できる。
【図面の簡単な説明】
【００１１】
【図１】図１は、本発明の実施形態に係る給湯装置の概略図である。
【図２】図２は、本発明の実施形態に係る送風装置の斜視図である。
【図３】図３は、本発明の実施形態に係る送風装置の縦断面図である。
【図４】図４は、本発明の実施形態に係るモータの斜視図である。
【図５】図５は、本発明の実施形態に係るモータの縦断面図である。
【図６】図６は、本発明の実施形態に係る熱伝導体の斜視図である。
【図７】図７は、ステータより軸方向下方に配置される軸受と熱伝導体との位置を示す図である。
【発明を実施するための形態】
【００１２】
以下、本発明の例示的な実施形態について、図面を参照しながら詳細に説明する。本明細書では、モータ１及び送風装置２の説明に際して、図３に示すモータ１の中心軸Ｃと平行な方向を「軸方向」、モータ１の中心軸Ｃに直交する方向を「径方向」、モータ１の中心軸Ｃを中心とする円弧に沿う方向を「周方向」とそれぞれ称する。また、本明細書では、モータ１及び送風装置２の説明に際して、軸方向を上下方向とし、図３に示すインペラ２１に対してモータ１側を上として、各部の形状や位置関係を説明する。上下方向は単に説明のために用いられる名称であって、実際の位置関係及び方向を限定しない。また、本明細書において、「上流」及び「下流」は、図１に示す燃焼部１０１で生成された燃焼ガスの流通方向の上流及び下流をそれぞれ示す。
【００１３】
＜１．給湯装置＞
図１は、本発明の実施形態に係る給湯装置１００の概略図である。本実施形態では、給湯装置１００はガス給湯装置である。図１に示すように、給湯装置１００は、燃焼部１０１と、熱交換部１０２と、送風装置２とを有する。給湯装置１００は、外ハウジング１０３と、内ハウジング１０４と、を更に有する。外ハウジング１０３は、燃焼部１０１、熱交換部１０２、送風装置２、および、内ハウジング１０４を収容する。
【００１４】
燃焼部１０１は、給湯運転時に燃料を燃焼させる。燃焼部１０１は、燃焼ガスを生成する。燃焼部１０１は、詳細にはガスバーナーである。燃焼部１０１は、外ハウジング１０３内の上流部に配置される。燃焼部１０１には、不図示のガス供給管から燃料ガスが供給される。燃焼部１０１で生成された燃焼ガスは、熱交換部１０２を加熱し、内ハウジング１０４内を通過して外部に排出される。
【００１５】
給湯装置１００の給湯運転時には、燃焼部１０１が点火される。入水管１０５から熱交換部１０２に供給された水は、燃焼ガスとの間で熱交換を行うことにより加熱され、出湯管１０６から湯になって排出される。給湯運転の開始と共に送風装置２の運転が開始され、送風装置２は、熱交換に使用され温度が低下した燃焼ガスを外部に排出する。このために、熱交換部１０２には、燃焼部１０１で生じた高温の燃焼ガスが適切に供給される。
【００１６】
送風装置２は、熱交換部１０２よりも、燃焼部１０１の下流側に配置される。送風装置２は、モータ１の駆動により、熱交換部１０２を通過した燃焼ガスを吸い込み、排気口２ａから外ハウジング１０３の外部に燃焼ガスを排出する。図１において、破線矢印は燃焼ガスの流れを示す。排出する燃焼ガスの温度は、例えば２００℃程度であり、常温に比べてかなり高温である。本実施形態では、送風装置２は、高温での環境下において、耐久性を高くすることができる遠心ファンである。
【００１７】
熱交換部１０２は、燃焼部１０１で生成された燃焼ガスと熱媒体との熱交換を行う。本実施形態では、熱媒体は水である。熱交換部１０２は、燃焼部１０１よりも、下流側に配置される。詳細には、熱交換部１０２は、不図示の、伝熱管とフィンとを有する。伝熱管の一方は入水管１０５と繋がり、伝熱管の他方は出湯管１０６に繋がる。フィンは、伝熱管の周囲に配置され燃焼ガスから熱を吸収する。フィンによって吸収された熱は、伝熱管内を流れる熱媒体に伝達される。熱交換部１０２は、燃焼部１０１の燃焼動作により生じた高温の燃焼ガスと、入水管１０５から供給される水との間で熱交換を行う。熱交換部１０２により加熱された水が出湯管１０６から排出される。
【００１８】
本実施形態の送風装置２は、内ハウジング１０４内から吸い込まれる高温の燃焼ガスによってモータ１の部品が影響を受けることを抑制できる構成になっている。そのうえで、送風装置２は、装置サイズをできる限り大きくしない構成になっている。このために、本実施形態の給湯装置１００は、耐久性の向上と、装置サイズの大型化の抑制とを図ることができる。
【００１９】
＜２．送風装置およびモータ＞
図２は、本発明の実施形態に係る送風装置２の斜視図である。図３は、本発明の実施形態に係る送風装置２の縦断面図である。図２および図３に示すように、送風装置２は、モータ１と、インペラ２１と、インペラハウジング２２とを有する。
【００２０】
図４は、本発明の実施形態に係るモータ１の斜視図である。図５は、本発明の実施形態に係るモータ１の縦断面図である。図４および図５に示すように、モータ１は、ロータ１２と、ステータ１３と、軸受１４と、熱伝導体１５とを有する。モータ１は、モータハウジング１６を更に有する。
【００２１】
ロータ１２はシャフト１１を有する。シャフト１１は、上下に延びる中心軸Ｃに沿って配置される。シャフト１１は、例えば、金属によって構成される柱状の部材である。ただし、シャフト１１は例えば筒状等の異なる形状であってもよい。シャフト１１は金属以外の素材で構成されてもよい。
【００２２】
ロータ１２は、中心軸Ｃ周りに回転する。本実施形態では、ロータ１２は、軸方向に延びる筒状のロータマグネット１２１を更に有する。ロータマグネット１２１は、シャフト１１の径方向外方に配置され、シャフト１１に固定される。ロータマグネット１２１は、シャフト１１に直接固定されてもよいし、間接的に固定されてもよい。本実施形態では、シャフト１１がロータマグネット１２１に圧入され、ロータマグネット１２１はシャフト１１に直接固定されている。ロータマグネット１２１の径方向外面には、Ｎ極とＳ極とが周方向に交互に並ぶ。なお、ロータマグネット１２１は１つのマグネットで構成されてもよいが、複数のマグネット片で構成されてもよい。また、ロータ１２は、ロータマグネット１２１に替えて、例えば、磁性体であるロータコアと、ロータコアに保持される複数のマグネット片とを有する構成であってもよい。
【００２３】
ステータ１３は、ロータ１２と径方向に対向する。本実施形態では、ステータ１３は、ロータ１２の径方向外方に配置される。ステータ１３は、駆動電流に応じて磁束を発生させる電機子である。ステータ１３は、ステータコア、インシュレータ、およびコイルを有する。ステータコアは磁性体である。ステータコアは、例えば電磁鋼板を積層して構成される。ステータコアは、円環状のコアバックと、複数のティースとを有する。複数のティースは、コアバックから径方向内方へ向けて突出する。複数のティースは、ロータ１２の径方向外面と径方向に対向する。インシュレータは絶縁体である。インシュレータの材料には、例えば樹脂が用いられる。インシュレータは、ステータコアをインサート部品として予め金型の内部に 収容した状態で成型してもよい。また、ステータコアの表面に、粉体塗装によってインシュレータを形成してもよい。インシュレータは、ステータコアの少なくとも一部を覆う。コイルは、インシュレータを介してティースに導線を巻くことによって構成される。コイルに駆動電流を供給することによって、ロータ１２とステータ１３との間で回転トルクが発生する。これにより、ロータ１２はステータ１３に対して回転する。
【００２４】
本実施形態のモータ１は、ステータ１３の径方向内方にロータ１２が配置されるインナーロータ型のモータである。ただし、モータ１は、ステータ１３の径方向外方にロータ１２が配置されるアウターロータ型のモータであってもよい。
【００２５】
軸受１４は、シャフト１１を回転可能に支持する。本実施形態では、軸受１４は内輪と外輪とを有するボールベアリングである。シャフト１１は、軸受１４の内輪に固定される。軸受１４の外輪は、モータハウジング１６に固定される。本実施形態では、モータ１は２つの軸受１４を有する。一方の軸受１４は、ロータマグネット１２１より軸方向上方に配置される。他方の軸受１４は、ロータマグネット１２１より軸方向下方に配置される。また、他方の軸受１４は、ステータ１３より軸方向下方に配置される。軸受１４の数および種類は、本実施形態の構成から変更されてよい。
【００２６】
熱伝導体１５は、ステータ１３より軸方向下方に配置される軸受１４より軸方向下方においてシャフト１１に固定される。熱伝導体１５は、シャフト１１との間で熱の授受を行う。熱伝導体１５は、熱伝導率の高い物質で構成される。熱伝導体１５は、例えばアルミニウム等の金属で構成される。熱伝導体１５は、シャフト１１と共に回転する。本実施形態では、熱伝導体１５は、シャフト１１から熱を受ける。シャフト１１は、熱伝導体１５に熱を与える。熱伝導体１５は、シャフト１１から受けた熱を送風装置２の外部に放熱する放熱体である。
【００２７】
モータハウジング１６は、ロータ１２およびステータ１３を囲む。詳細には、モータハウジング１６は、ハウジング本体部１６１と、ハウジングカバー１６２とを有する。ハウジング本体部１６１は、軸方向下方に開口する有蓋円筒状である。ロータ１２およびステータ１３は、ハウジング本体部１６１内に収容される。ハウジング本体部１６１の上壁の中央部には、軸方向上方に向けて凹む上側凹部１６１１が設けられる。上側凹部１６１１には、ロータマグネット１２１の軸方向上方に配置される軸受１４が収容される。ハウジング本体部１６１の下端には、径方向外方に突出するフランジ部１６１２が設けられる。
【００２８】
ハウジングカバー１６２は円板状である。ハウジングカバー１６２は、ハウジング本体部１６１の下側に配置され、ハウジング本体部１６１の開口を囲む。ハウジングカバー１６２の外縁が、フランジ部１６１２に固定される。ハウジングカバー１６２は、例えばかしめによってフランジ部１６１２に固定される。また、ハウジングカバー１６２とフランジ部１６１２の固定方法は、かしめに限らず、例えば、ねじ等の固定部材を用いてもよい。ハウジングカバー１６２の中央部には、軸方向下方に向けて凹む軸受収容部１６２１が設けられる。軸受収容部１６２１には、ステータ１３より軸方向下方に配置される軸受１４が収容される。換言すると、モータハウジング１６は、下端に軸方向下方に突出し、ステータ１３より軸方向下方に配置される軸受１４を収容する軸受収容部１６２１を有する。
【００２９】
軸受収容部１６２１の軸方向下方の底壁には、軸方向に貫通するシャフト孔１６２２が設けられる。シャフト１１は、シャフト孔１６２２に通され、モータハウジング１６の下端から軸方向下方に突出する。熱伝導体１５は、モータハウジング１６より軸方向下方においてシャフト１１に取り付けられる。
【００３０】
図３に示すように、インペラ２１は、シャフト１１に取り付けられ中心軸Ｃ周りに回転可能である。詳細には、インペラ２１は、モータハウジング１６より軸方向下方においてシャフト１１に取り付けられる。より詳細には、インペラ２１は、シャフト１１の下端部に取り付けられる。インペラ２１は、熱伝導体１５より軸方向下方に配置される。
【００３１】
インペラ２１は、インペラベース部２１１と、複数のインペラブレード２１２と、インペラ環状部２１３とを有する。インペラベース部２１１は、軸方向に交差する方向に拡がる。本実施形態では、インペラベース部２１１は、円板状であり、軸方向と直交する方向に拡がる。インペラベース部２１１の中央部には、軸方向に貫通するシャフト取付孔２１１１が設けられる。シャフト１１の下端部がシャフト取付孔２１１１に通され、インペラ２１はシャフト１１の下端部に固定される。詳細には、インペラ２１は、インペラベース部２１１の軸方向下方に配置されるナット２６を用いてシャフト１１に固定される。
【００３２】
複数のインペラブレード２１２は、インペラベース部２１１の下方において周方向に配置される。詳細には、複数のインペラブレード２１２は、周方向に等間隔に配置される。各インペラブレード２１２は軸方向に延びる。各インペラブレード２１２は、上端部がインペラベース部２１１に固定される。インペラ環状部２１３は、中心軸Ｃを中心とする円環状であり、各インペラブレード２１２の下端部に固定される。本実施形態では、インペラ環状部２１３の径方向内端は、各インペラブレード２１２の径方向内端より径方向外方に位置する。
【００３３】
図３に示すように、インペラハウジング２２は、インペラ２１を囲む。インペラハウジング２２の下面には、軸方向に貫通するインペラハウジング開口部２２１が設けられる。換言すると、インペラハウジング２２は、軸方向下方に開口する有蓋筒状である。インペラハウジング開口部２２１には、不図示の吸気口を有するカバー部材が取り付けられる。吸気口は、インペラブレード２１２より径方向内方に位置する。吸気口を有するカバー部材は、例えば内ハウジング１０４に設けられる。
【００３４】
インペラハウジング２２の軸方向上方の上壁には、軸方向に貫通する軸孔２２２が設けられる。シャフト１１は、軸孔２２２に通され、一部がインペラハウジング２２内に配置される。インペラハウジング２２内で、シャフト１１にインペラ２１が取り付けられる。インペラハウジング２２内においては、インペラ２１の径方向外方に空気通路２３が構成されている。インペラ２１の回転により、インペラブレード２１２より径方向内方に存在する空気は空気通路２３に吹き出される。
【００３５】
送風装置２は、排気部２４を更に有する。排気部２４は、インペラハウジング２２に設けられ、インペラハウジング２２の外部に通じる。排気部２４は、インペラハウジング２２の径方向外端に設けられる。
【００３６】
モータ１の駆動によりインペラ２１が回転すると、内ハウジング１０４に設けられる不図示の吸気口からインペラ２１の径方向内方に高温の燃焼ガスが吸い込まれる。インペラ２１の径方向内方に吸い込まれた高温の燃焼ガスは、インペラ２１の回転によりインペラ２１の径方向外方に吹き出される。インペラ２１から吹き出された高温の燃焼ガスは、空気通路２３を通り、排気部２４から給湯装置１００の外部に排出される。
【００３７】
送風装置２は、アタッチメント部材２５を更に有する。アタッチメント部材２５は、モータハウジング１６とインペラハウジング２２とを軸方向に隙間をあけて連結する。本実施形態では、アタッチメント部材２５の数は３つである。ただし、アタッチメント部材２５の数は３つ以外でもよく、例えば１つ等であってもよい。例えばアタッチメント部材２５の数が１つである場合、アタッチメント部材２５は環状等であってよい。アタッチメント部材２５が設けられることによって、高温の燃焼ガスの影響により温度が高くなるインペラハウジング２２からモータハウジング１６を離すことができる。このために、モータ１を構成する部品が熱による影響を受けることを抑制することができる。
【００３８】
熱伝導体１５は、モータハウジング１６とインペラハウジング２２との軸方向間に配置される。送風装置２においては、インペラハウジング２２およびインペラハウジング２２内からシャフト１１を伝ってモータ１の内部に向かう熱の一部を熱伝導体１５に伝達することができ、熱伝導体１５から外部に熱を放出することができる。このために、軸受１４等のモータ部品が熱による影響を受けることを更に抑制できる。熱伝導体１５の配置が工夫されているために、送風装置２の軸方向サイズが大きくなることを抑制できる。熱伝導体１５の配置の工夫については以下に説明する。
【００３９】
＜３．熱伝導体の詳細＞
図６は、本発明の実施形態に係る熱伝導体１５の斜視図である。図６に示すように、熱伝導体１５は、軸方向に延びる羽根１５１を有する。換言すると、熱伝導体１５は回転翼であり、回転翼はシャフト１１と共に中心軸Ｃ周りに回転する。
【００４０】
熱伝導体１５は、平板部１５２を更に有する。平板部１５２は、軸方向と直交する方向に拡がる。羽根１５１は、平板部１５２の上面から軸方向上方に突出する。平板部１５２は、円形状であり、軸方向に貫通する複数の貫通孔１５２４を有する。複数の貫通孔１５２４は、周方向に等間隔に並ぶ。平板部１５２の中央部には、軸方向に貫通し、シャフト１１が通る回転翼貫通部１５２１が設けられる。
【００４１】
平板部１５２は、径方向外端の少なくとも一部に軸方向に延びる突出部１５２３を有する。換言すると、熱伝導体１５は、径方向外端の少なくとも一部に軸方向に延びる突出部１５２３を有する。径方向外端に突出部１５２３が設けられることにより、熱伝導体１５の剛性を向上することができる。本実施形態では、突出部１５２３は、軸方向上方に延びる。突出部１５２３は、平板部１５２の径方向外端の全周に設けられる。突出部１５２３は円環状である。突出部１５２３は、軸方向下方に延びる構成とされてもよい。突出部１５２３は、平板部１５２の外縁を折り曲げて形成することが好ましい。
【００４２】
インペラハウジング２２およびインペラハウジング２２内からシャフト１１を伝って熱伝導体１５に伝達された熱は、羽根１５１および平板部１５２から外部に放出される。羽根１５１は放熱フィンとして機能する。羽根１５１を有する熱伝導体１５が回転することにより、熱伝導体１５の周囲で気流を発生することができ、熱伝導体１５からの熱の放出を効率良く行うことができる。
【００４３】
本実施形態では、熱伝導体１５は、シャフト１１に直接固定されている。シャフト１１は、回転翼貫通部１５２１に圧入されている。詳細には、平板部１５２は、回転翼貫通部１５２１の縁部より軸方向下方に延びる筒状のブッシュ部１５２２を有する。ブッシュ部１５２２は、平板部１５２と同一部材である。シャフト１１は、回転翼貫通部１５２１に加えてブッシュ部１５２２にも圧入されている。ブッシュ部１５２２が設けられることにより、熱伝導体１５をシャフト１１に強固に固定することができる。筒状のブッシュ部１５２２は、回転翼貫通部１５２１の縁部より軸方向上方に延びてもよい。熱伝導体１５がシャフト１１に直接固定されることによって、シャフト１１から熱伝導体１５に効率良く熱を伝達することができる。熱伝導体１５による放熱を効率良く行うことができる。
【００４４】
本実施形態では、羽根１５１は、周方向に等間隔に複数配置される。これによれば、複数の羽根１５１により、周方向に均一に放熱することができる。詳細には、各羽根１５１は、径方向に延びる平板状である。ただし、各羽根１５１は、例えば径方向成分を含む方向に延びる湾曲した形状等の他の形状であってもよい。各羽根１５１は、例えば径方向と直交する方向に延びる平板状等であってもよい。
【００４５】
本実施形態では、羽根１５１は平板部１５２と同一部材である。羽根１５１は、平板部１５２を構成する平板の一部を切り起して形成されている。貫通孔１５２４は、羽根１５１の切り起しに伴い形成される。羽根１５１と平板部１５２を同一部材とすることにより、部品点数を減らすことができる。ただし、羽根１５１と平板部１５２とは別部材でもよく、この場合、貫通孔１５２４は設けられなくてもよい。
【００４６】
図７は、ステータ１３より軸方向下方に配置される軸受１４と熱伝導体１５との位置を示す図である。図７は、図５の一部を拡大して示した図である。図７に示すように、熱伝導体１５の一部は、ステータ１３より軸方向下方に配置される軸受１４の下端Ｂより軸方向上方に配置されている。換言すると、熱伝導体１５の一部は、ステータ１３より軸方向下方に配置される軸受１４と径方向に重なる。これによると、熱伝導体１５の下端の高さ位置をなるべく軸方向上方に配置することができ、モータ１の軸方向の長さを短くすることができる。本実施形態では、放熱性を向上するためにモータハウジング１６とインペラハウジング２２との軸方向間に熱伝導体１５を配置したにもかかわらず、モータハウジング１６とインペラハウジング２２との軸方向距離が増大することを抑制することができる。
【００４７】
本実施形態では、羽根１５１の少なくとも一部は、ステータ１３より軸方向下方に配置される軸受１４の下端Ｂより軸方向上方に配置されている。詳細には、羽根１５１の一部が、ステータ１３より軸方向下方に配置される軸受１４の下端Ｂより軸方向上方に配置されている。複数の羽根１５１は、軸受収容部１６２１の径方向外方に配置され、軸受収容部１６２１の外周を囲む。これによれば、羽根１５１の回転により生じた気流を、モータ１の外面に当ててモータ１の外部を冷却することができる。例えば、羽根１５１の回転により、気流を軸受収容部１６２１の外面に当てることができ、軸受収容部１６２１に収容される軸受１４の温度が上昇することを抑制できる。
【００４８】
本実施形態では、羽根１５１の径方向内端は、径方向外方に向かうにつれて軸方向の高さが高くなる傾斜面部１５１ａを有する。本実施形態では、傾斜面部１５１ａは曲面で構成される。ただし、傾斜面部１５１ａは、平面、又は、曲面と平面との組み合わせによって構成されてもよい。羽根１５１の径方向内端の全体が傾斜面部１５１ａでもよいし、羽根１５１の径方向内端の一部が傾斜面部１５１ａであってもよい。
【００４９】
羽根１５１の径方向内端に傾斜面部１５１ａが設けられることにより、軸受収容部１６２１と羽根１５１との接触を避けて羽根１５１を大きくすることができる。羽根１５１の大型化により、強い気流を生じさせることができる。また、羽根１５１の大型化により、羽根１５１から放出される熱の量を増やして熱伝導体１５の放熱性を向上することができる。
【００５０】
本実施形態では、モータハウジング１６の下端は、軸受収容部１６２１より径方向外方において、熱伝導体１５の上端Ｔより軸方向上方に配置されている。熱伝導体１５の上端Ｔは、詳細には羽根１５１の上端である。これによれば、熱伝導体１５の径方向外方にはモータハウジング１６が存在しない。このために、熱伝導体１５の回転によって生じる気流がモータハウジング１６によって遮られることを抑制することができ、熱伝導体１５の放熱効率を向上することができる。
【００５１】
＜４．留意事項＞
本明細書中に開示されている種々の技術的特徴は、その技術的創作の主旨を逸脱しない範囲で種々の変更を加えることが可能である。また、本明細書中に示される複数の実施形態及び変形例は可能な範囲で組み合わせて実施されてよい。
【００５２】
以上においては、熱伝導体１５が放熱する場合について説明した。熱伝導体１５は、吸熱する構成であってもよい。例えば、シャフト１１は冷凍室に取り付けられてもよい。この場合、シャフト１１の温度が低温となる。このために、熱伝導体１５は熱をシャフト１１に与え、シャフト１１は熱伝導体１５から熱を受ける。熱伝導体１５は、シャフト１１に熱を与えるために外部から熱を吸収する。熱伝導体１５からシャフト１１に熱が与えられるために、モータ１の内部から奪われる熱の量を低く抑えることができる。これにより、例えば軸受１４に含まれるグリスが固まることを抑制することができる。
【産業上の利用可能性】
【００５３】
本発明は、例えば給湯装置、オーブンレンジ、冷凍装置等に利用することができる。
【符号の説明】
【００５４】
１・・・モータ
２・・・送風装置
１１・・・シャフト
１２・・・ロータ
１３・・・ステータ
１４・・・軸受
１５・・・熱伝導体
１６・・・モータハウジング
２１・・・インペラ
２２・・・インペラハウジング
２４・・・排気部
１００・・・給湯装置
１０１・・・燃焼部
１０２・・・熱交換部
１５１・・・羽根
１５１ａ・・・傾斜面部
１５２３・・・突出部
１６２１・・・軸受収容部
Ｃ・・・中心軸
Ｂ・・・軸受の下端
Ｔ・・・熱伝導体の上端
【図１】
2020031520.tif 000003
【図２】
2020031520.tif 000004
【図３】
2020031520.tif 000005
【図４】
2020031520.tif 000006
【図５】
2020031520.tif 000007
【図６】
2020031520.tif 000008
【図７】
2020031520.tif 000009